(57)【特許請求の範囲】
【請求項１】
立設した壁面の取付孔に水栓本体を表側のみから装着する水栓の取付構造において、前記取付孔に表側から挿通して裏側から取付孔の周縁全体に密着する長方形の裏板と、取付孔の表側周縁全体に密着して裏板と向かい合わせる長方形の表板と、壁面を挟んで裏板と表板を結合するビスにより取付部材を構成し、該取付部材は、前記表板及び裏板に設けた各挿通孔にガイドピンを挿通し、該ガイドピンの両端に固定具をそれぞれ係合して両板を結合し、両板は固定具の範囲内で軸方向に移動可能、且つガイドピンを中心に回転自在とし、前記表板に水栓本体を装着することを特徴とする水栓の取付構造。
【請求項２】
前記裏板は、壁面の取付孔周縁に密着する位置決め突起を設けたことを特徴とする請求項１に記載の水栓の取付構造。
【発明の詳細な説明】
【０００１】
【発明の属する技術分野】
本発明は、流し台，洗面台，浴室等の立設した壁面に水栓を取付ける構造に関する。
【０００２】
【従来の技術】
従来、水栓を流し台，洗面台，浴室等の立設した壁面に取付ける場合に、壁面裏側の狭い空間で窮屈な姿勢により作業をしなくても、表側からの作業だけで１人でも容易に取付けられるようにしたものとして、特開平９−１４４０８３号公報の図３（本願図面の図１２）のものが提案されている。この図１２について簡単に説明すると、壁面３１に開設された取付開口３２の裏側から表側へ給水管３４を導出して、該給水管３４の先端を水栓本体３３に背面より接合し、板状の取付金具３５により壁面３１の取付開口３２を囲い、該取付金具３５を表側から多数のビス３６を螺着して壁面３１に固着し、次に水栓本体３３を取付金具３５に掛止すると共に、壁面３１の表側からビス３６ａにより水栓本体３３を取付金具３５に螺合締付するものである。
【０００３】
このものは、取付金具は壁面の表側のみで固定されているので、取付金具に水栓本体を掛止すると水栓本体の重量が上部から垂直方向に取付金具の表側のみに加わるため、重い水栓本体を安定した状態で支えることができず、水栓本体はがたついたり、取付金具が破損して水栓本体は取付金具から外れて落下する恐れがある等の問題があった。
【０００４】
【発明が解決しようとする課題】
本発明が解決しようとする課題は、流し台，洗面台，浴室等に立設した壁面に水栓を表側から安定した状態で取付けられるようにすることである。
【０００５】
【課題を解決するための手段】
本発明は請求項１では、立設した壁面の取付孔に水栓本体を表側のみから装着する水栓の取付構造において、前記取付孔に表側から挿通して裏側から取付孔の周縁全体に密着する長方形の裏板と、取付孔の表側周縁全体に密着して裏板と向かい合わせる長方形の表板と、壁面を挟んで裏板と表板を結合するビスにより取付部材を構成し、該取付部材は、前記表板及び裏板に設けた各挿通孔にガイドピンを挿通し、該ガイドピンの両端に固定具をそれぞれ係合して両板を結合し、両板は固定具の範囲内で軸方向に移動可能、且つガイドピンを中心に回転自在とし、前記表板に水栓本体を装着するものである。
【０００６】
請求項２では、前記裏板は、壁面の取付孔周縁に密着する位置決め突起を設けたものである。
【０００７】
【発明の実施の形態】
以下、本発明の実施の形態を図に基づいて詳細に説明する。本発明の水栓本体４は図１に示すように、下部に形成した基台部５が流し台，洗面台，浴室等に立設している壁面１に取付けられた後述する取付部材１３に装着されるものであり、レバー６の上下及び左右への操作で、壁面１の裏側で接続している給水管７及び給湯管８から供給される水と湯を調節部９により混合して混合水の流量及び温度を調節し、基台部５と調節部９の間から前方へ突出した回転自在のホルダー１０に混合水を吐出するシャワーヘッド１１を引出し自在に支持し、該シャワーヘッド１１はホース１２と共にホルダー１０から引出し自在で、ホース１２は水栓本体４の内部から壁面１の取付孔２を挿通し、裏側に垂れ下がって取付孔２を挿通した基台部５の通水管５ａを介して前記調節部９に接続している。
【０００８】
前記取付部材１３は図１及び図２に示すように、立設した壁面１の所定位置に穿設されている取付孔２に表側から挿通して裏側から周縁全体に密着する裏板１４、取付孔２の周縁全体に表側から密着し、前記裏板１４と共に壁面１を表裏両側から狭着する表板２０、及び前記裏板１４と表板２０を結合する複数本のビス２７を備えている。
【０００９】
前記裏板１４は、２つの円形孔を上下に繋げた形状の前記取付孔２よりひと回り大きい長方形の板状に形成され、中央に基台部５から後方に突出した前記通水管５ａ及びホース１２が挿通する第１開口孔１５が形成され、上下及び左右の四隅には、前記各ビス２７を挿入する第１ねじ孔１６がそれぞれ水平方向に穿設され、該第１ねじ孔１６のうちの１つに隣接して、裏板１４を取付孔２に挿通する際に使用する支持ビス１８を螺着するための第２ねじ孔１７が穿設されている。また図３に示すように、裏板１４の裏面側には、前記各第１ねじ孔１６に整合してビス２７が結合されるナット１９をそれぞれ接着剤等により固着している。
【００１０】
この裏板１４は横幅寸法Ａが壁面１の取付孔２の横幅寸法Ｃより大きく、縦幅寸法Ｂが取付孔２の縦幅寸法Ｄより大きく形成されているため、取付孔２の周縁全体に密着させることができるが、図２に示す方向のままでは取付孔２の表側から裏側へ挿通させることができないので、例えば図３に示すように裏板１４を図２から９０度回転させて、縦方向の高さが低くなる状態に向きを変えて取付孔２に挿通させ、裏板１４が取付孔２を挿通した後に再び元の状態に向きを変えれば、図４に示すように壁面１の裏側から裏板１４を取付孔２の周縁全体に密着させることができる。
【００１１】
前記表板２０は裏板１４と略同一形状の長方形の板状で、壁面１を挟んで裏板１４と向かい合わせて壁面１を表裏両側から挟み付けるものであり、中央に前記第１開口孔１５と水平方向に向かい合う第２開口孔２１が形成され、下部の左右両端には、裏板１４に穿設した下側の各第１ねじ孔１６と水平方向に向かい合う第３ねじ孔２２がそれぞれ穿設され、上部の左右両端には、裏板１４に穿設した上側の各第１ねじ孔１６と水平方向に向かい合い、上面が切り欠かれた切欠孔２３がそれぞれ穿設されている。また表板２０の上端側で両切欠孔２３の間には、水栓本体４を支持するための係止爪２４が上方へＬ字状に突出して一対形成され、下端側は水平方向となるように９０度折曲し前方へ突出した支持板２５を形成し、該支持板２５には水栓本体４と結合するための止めビス２８が結合する一対の第４ねじ孔２６がそれぞれ適宜の間隔で穿設されている。
【００１２】
このような取付部材１３を壁面１に取付けるには、まず支持ビス１８を手に持ち、裏板１４を図２の状態から図３のように回転させて、縦方向の高さを低くした状態で表側から取付孔２に挿通させ、裏板１４が壁面１の裏側に達した後に再び元の位置に回転させて、図４に示すように裏板１４を取付孔２の周縁全体に密着させる。
【００１３】
次に図５に示すように、壁面１の表側から取付孔２の上部周縁で裏板１４の第１ねじ孔１６と連通するように穿設した板孔３にビス２７を締め付けて、裏板１４のナット１９に結合させ、壁面１の裏側に裏板１４を固定する。
【００１４】
そして図６に示すように、壁面１の表側で表板２０を取付孔２の下方から上方へスライドさせて、左右の切欠孔２３を両ビス２７の頭部２７ａにそれぞれ係合させる。
【００１５】
この状態から表板２０の左右の第３ねじ孔２２及び下側の板孔３にビス２７を締め付けて裏板１４のナット１９に結合させ、裏板１４と表板２０で壁面１を狭着すれば、取付部材１３は壁面１に固定される。
【００１６】
そして壁面１から前側に大きく突出している裏板１４の支持ビス１８を奥まで締め付け、図７に示すように壁面１の内側に後退させれば、取付部材１３を壁面１に装着する作業は終了する。
【００１７】
さらに図１に示すように、取付部材１３の前側から水栓本体５の基台部５を嵌合し、且つ基台部５の通水管５ａ及びホース１２を壁面１の取付孔２に挿通し、基台部５の上端を表板２０の係止爪２４に係止させた状態で、基台部５の底面に穿設したねじ孔と表板２０の支持板２５に穿設した第４ねじ孔２６を向かい合わせて止めビス２８で締め付ければ、水栓本体４を取付部材１３に結合することができる。
【００１８】
図８は本発明の別の実施例である。取付部材１３ａは立設した壁面１の所定位置に穿設されている取付孔２に表側から挿通して裏側から周縁全体に密着する裏板１４ａ、取付孔２の周縁全体に表側から密着し、前記裏板１４ａと共に壁面１を表裏両側から狭着する表板２０ａ、及び前記裏板１４ａと表板２０ａを結合する複数本のビス２７を備えている。
【００１９】
前記裏板１４ａは、２つの円形孔を上下に繋げた形状の前記取付孔２よりひと回り大きい長方形の板状に形成され、中央には第１開口孔１５が形成され、上下及び左右の四隅には、前記各ビス２７を挿入する第１ねじ孔１６がそれぞれ水平方向に穿設され、該第１ねじ孔１６のうちの１つに隣接してガイドピン２９が挿通される第１挿通孔１７ａが穿設されている。また、該第１開口孔１５周縁には複数個の位置決め突起３０（本実施例では３ヶ所）が設けられている。なお、このほかの構造については先の実施例と同様のため、同じ構造については同じ符号を用い詳細な説明を省略する。
【００２０】
前記表板２０ａは裏板１４ａと略同一形状の長方形の板状で、壁面１を挟んで裏板１４ａと向かい合わせて壁面１を表裏両側から挟み付けるものであり、中央に前記第１開口孔１５と水平方向に向かい合う第２開口孔２１が形成され、上下及び左右の四隅には、裏板１４ａに穿設した各第１ねじ孔１６と水平方向に向かい合う第３ねじ孔２２がそれぞれ穿設されている。また、裏板１４ａに穿設された第１挿通孔１７ａと水平方向に向かい合う位置には、第２挿通孔２２ａが穿設されている。さらに、表板２０ａの上側で第３ねじ孔２２の間には、水栓本体４を支持するための係止爪２４が上方へＬ字状に突出して一対形成され、下端側は水平方向となるように９０度折曲し前方へ突出した支持板２５を形成し、該支持板２５には水栓本体４と結合するための止めビス２８が結合する一対の第４ねじ孔２６がそれぞれ適宜の間隔で穿設されている。
【００２１】
前記ガイドピン２９は棒状で両端付近に円周溝が設けられている。該ガイドピン２９は両板１４ａ，２０ａの各挿通孔１７ａ，２２ａに挿通された状態で前記円周溝にＥ型状の固定具２９ａが係合されており、両固定具２９ａ，２９ａの範囲内で両板は軸方向に自由に動かせ、しかも両板１４ａ，２０ａは何れもガイドピン２９を中心に回転自在に結合している。
【００２２】
このような取付部材１３ａを壁面１に取付けるには、まず図９に示すように裏板１４ａ又は表板２０ａの何れか一方を１８０度回転させて、両板１４ａ，２０ａが略一直線状になるようにした状態で表板２０ａを手に持ち裏板１４ａを取付孔２に挿通させ、壁面１の裏側に達した後に裏板１４ａの各位置決め突起３０を取付孔２周縁全体に当接させ、再び表板２０ａを元の位置に回転させて、図１０に示すように裏板１４ａを取付孔２周縁全体に密着させる。この時、不意に表板２０ａから手を離しても両板１４ａ，２０ａがガイドピン２９により結合されているので、壁面１の裏側に裏板１４ａが落下し紛失することを防止することができる。
【００２３】
この状態から表板２０ａの第３ねじ孔２２及び下側の板孔３にビス２７を挿通してナット１９に結合させ、裏板１４ａと表板２０ａで壁面１を狭着すれば、取付部材１３ａは壁面１に固定される。
【００２４】
次にガイドピン２９を手で押し、壁面１の内側へスライドさせれば取付部材１３ａを壁面１に装着する作業は終了する。この後、先の実施例と同様に水栓本体４を取付部材１３ａに結合すればよい。
【００２５】
【発明の効果】
本発明では、立設した壁面の取付孔に水栓本体を表側のみから装着する水栓の取付構造において、前記取付孔に表側から挿通して裏側から取付孔の周縁全体に密着する長方形の裏板と、取付孔の表側周縁全体に密着して裏板と向かい合わせる長方形の表板と、壁面を挟んで裏板と表板を結合するビスにより取付部材を構成し、該取付部材は、前記表板及び裏板に設けた各挿通孔にガイドピンを挿通し、該ガイドピンの両端に固定具をそれぞれ係合して両板を結合し、両板は固定具の範囲内で軸方向に移動可能、且つガイドピンを中心に回転自在とし、前記表板に水栓本体を装着する。従って取付部材は壁面の前側のみからの作業で装着できるうえ、前後両側から壁面を狭着するので壁面に強固に固定されており、水栓本体を安定した状態で装着することができる。また、裏板を壁面の裏側に挿通したとき、不意に手を離した場合でも取付部材を壁面の裏側に落下させてしまうことがなく、部品の紛失を防ぐことができ、作業性が向上する。
【００２６】
さらに、前記裏板は、壁面の取付孔周縁に密着する位置決め突起を設けたので、裏板を壁面の取付孔周縁に容易に保持させることができ、表板の密着及びビスの挿通，締め付けを容易に行うことができる
【図面の簡単な説明】
【図１】  水栓本体を壁面に装着した状態の説明図である。
【図２】  取付部材の分解斜視図である。
【図３】  壁面の取付孔に裏板を挿通する場合の説明図である。
【図４】  裏板を壁面に密着した状態の裏側からの斜視図である。
【図５】  裏板を壁面に固定した状態の表側からの斜視図である。
【図６】  取付部材を壁面に固定した状態の表側からの斜視図である。
【図７】  取付部材を壁面に固定した状態の縦断面図である。
【図８】  別の実施例の取付部材の分解斜視図である。
【図９】  別の実施例において、壁面の取付孔に裏板を挿通する場合の説明図である。
【図１０】  別の実施例において、裏板を壁面に密着した状態の裏側からの斜視図である。
【図１１】  別の実施例において、取付部材を壁面に固定した状態の表側からの斜視図である。
【図１２】  従来技術の説明図である。
【符号の説明】
１            壁面
２            取付孔
４            水栓本体
５            基台部
１３，１３ａ  取付部材
１４，１４ａ  裏板
１７ａ        第１挿通孔
２０，２０ａ  表板
２２ａ        第２挿通孔
２４          係止爪
２５          支持板
２７          ビス
２８          止めビス
２９          ガイドピン
２９ａ        固定具
【図１】
0003712929.tif 000002
【図２】
0003712929.tif 000003
【図３】
0003712929.tif 000004
【図４】
0003712929.tif 000005
【図５】
0003712929.tif 000006
【図６】
0003712929.tif 000007
【図７】
0003712929.tif 000008
【図８】
0003712929.tif 000009
【図９】
0003712929.tif 000010
【図１０】
0003712929.tif 000011
【図１１】
0003712929.tif 000012
【図１２】
0003712929.tif 000013